(57)【要約】【課題】  コンピュータ通信のメリットを生かしながら、はがき等が持っている情緒性を発揮できる通信システムを提供することである。【解決手段】  カードＣには、カードＩＤとセンターサーバーＳにアクセスするためのＵＲＬとをあらかじめ表示しておく。そして、カードＣの送り主は、自らの通信端末１を利用してセンターサーバーＳにアクセスし、希望するソフトを提供するＷｅｂサーバーＷとカードＩＤとを対応づけておく。そして、上記カードＣを受け取った受取人は、そのカードＩＤに対応づけられたソフトを、ＷｅｂサーバーＷから自分の通信端末２に取り込むことができる。【選択図】  図１
2007148898.tif 000002
【特許請求の範囲】
【請求項１】
センターサーバーと、プログラムを実行するＷｅｂサーバーと、カードＩＤおよびセンターサーバーにアクセスするためのセンターサーバー用ＵＲＬを表示したカードと、上記センターサーバー用ＵＲＬに基づいてセンターサーバーにアクセス可能な第１の通信端末と、上記センターサーバー用ＵＲＬに基づいてセンターサーバーにアクセス可能な第２の通信端末とを備え、上記センターサーバーは、カードＩＤをあらかじめ記憶する機能と、カードＩＤに対応づけてあらかじめ登録された上記ＷｅｂサーバーにアクセスするためのＷｅｂサーバー用ＵＲＬを記憶する機能と、第１の通信端末からカードＩＤが入力されたとき、その入力されたＩＤがあらかじめ登録されたカードＩＤと同一か否かを判定する機能と、これら両ＩＤが同一と判定されたとき、このカードＩＤに対応づけられた上記Ｗｅｂサーバー用ＵＲＬに基づいて第１の通信端末をＷｅｂサーバーにアクセスさせる機能と、第２の通信端末からカードＩＤが入力されたとき、センターサーバーにあらかじめ登録されたＩＤと同一かどうかを判定する機能と、これら両ＩＤが同一のとき、第２の通信端末を、上記カードＩＤに対応づけられたＷｅｂサーバーにアクセスさせる機能とを備え、Ｗｅｂサーバーは、第１あるいは第２のいずれかの通信端末かを判定し、それらいずれかの通信端末から、プログラム実行信号が入力されたとき、あらかじめ設定されているプログラムを実行させる機能とを備えた通信システム。
【発明の詳細な説明】
【技術分野】
【０００１】
この発明は、第１の通信端末から、第２の通信端末へ、情報やサービスを通信するシステムに関する。
【背景技術】
【０００２】
コンピュータを介して情報を通信することは、従来から頻繁に行われていたが、このコンピュータ通信のメリットは、簡便性とスピードである。また、コンピュータ通信を介して音楽等のソフトを、自らのコンピュータに取り込んで、それを楽しむことも通常行われていることである。
なお、本願発明に関して特に特許調査はしていない。
【発明の開示】
【発明が解決しようとする課題】
【０００３】
上記従来のコンピュータ通信を利用した通信は、その簡便性とスピードというメリットはあるが、はがき等のカードに比べて情緒性に欠けるという問題があった。また、従来は、コンピュータ通信でやりとりされている音楽等のソフトを、例えばギフト用に使うということもできなかった。
【０００４】
この発明の目的は、コンピュータ通信のメリットを生かしながら、はがき等のカードが持っている情緒性を発揮できる通信システムを提供することである。
【課題を解決するための手段】
【０００５】
この発明は、  センターサーバーと、プログラムを実行するＷｅｂサーバーと、カードＩＤおよびセンターサーバーにアクセスするためのセンターサーバー用ＵＲＬを表示したカードと、上記センターサーバー用ＵＲＬに基づいてセンターサーバーにアクセス可能な第１の通信端末と、上記センターサーバー用ＵＲＬに基づいてセンターサーバーにアクセス可能な第２の通信端末とを備え、上記センターサーバーは、カードＩＤをあらかじめ記憶する機能と、カードＩＤに対応づけてあらかじめ登録された上記ＷｅｂサーバーにアクセスするためのＷｅｂサーバー用ＵＲＬを記憶する機能と、第１の通信端末からカードＩＤが入力されたとき、その入力されたＩＤがあらかじめ登録されたカードＩＤと同一か否かを判定する機能と、これら両ＩＤが同一と判定されたとき、このカードＩＤに対応づけられた上記Ｗｅｂサーバー用ＵＲＬに基づいて第１の通信端末をＷｅｂサーバーにアクセスさせる機能と、第２の通信端末からカードＩＤが入力されたとき、センターサーバーにあらかじめ登録されたＩＤと同一かどうかを判定する機能と、これら両ＩＤが同一のとき、第２の通信端末を、上記カードＩＤに対応づけられたＷｅｂサーバーにアクセスさせる機能とを備え、Ｗｅｂサーバーは、第１あるいは第２のいずれかの通信端末かを判定し、それらいずれかの通信端末から、プログラム実行信号が入力されたとき、あらかじめ設定されているプログラムを実行させる機能とを備えた点に特徴を有する。
【０００６】
なお、上記カードとは、そのカードＩＤと、センターサーバーにアクセスするためのＵＲＬとが表示されているものであれば、どのようなものであってもよい。例えば、それが郵便はがきであってもよいし、単なるカードだけでもよい。
また、Ｗｅｂサーバーに設定されたプログラムは、音楽や映像等の提供プログラムであってもよいし、金銭のやりとりを決済するためのプログラムであってもよい。
【発明の効果】
【０００７】
この発明によれば、第１の通信手段を有する者から、第２の通信手段を有する者へはがき等のカードを渡し、第２の通信手段を有する者が、そのカードに表示されたセンターサーバーＵＲＬを経由して、Ｗｅｂサーバーのプログラムを実行させ、プログラム実行にともなうサービスを享受することができる。言い換えると、センターサーバーが中心になって、Ｗｅｂサーバーのプログラムの実行にともなうサービスを配信することができる。したがって、Ｗｅｂサーバーの数分だけ多様化したサービスやソフトを提供することができる。
例えば、上記カードに、お誕生日を祝う文言を表示して、第２の通信手段を有する者にカードを送りながら、Ｗｅｂサーバーからお誕生日を祝う音楽を送らせることができる。このようにカードによって送り主の気持ちを伝えながら、コンピュータから迅速かつ簡便に適切なサービスを受けることができる。
【０００８】
もちろん、センターサーバーにあらかじめ登録されているＷｅｂサーバーが提供するソフトは、音楽や映像の提供であってもよい。また、例えば、カードをダイレクトメールとし、そのダイレクトメールを基因としてセンターサーバーにアクセスして、目的のＷｅｂサーバーからのサービスを提供してもよい。この場合の目的のＷｅｂサーバーとは、例えば、ダイレクトメールの発送主の広告用Ｗｅｂサーバーであってもよいし、ダイレクトメールの発送主とは全く関係ないソフトを提供するためのＷｅｂサーバーであってもよい。
【発明を実施するための最良の形態】
【０００９】
この実施形態におけるセンターサーバーＳは、携帯電話等からなる第１の通信端末１と、同じく携帯電話等からなる第２の通信端末２と、複数のＷｅｂサーバーＷと、所定の通信を介して接続可能にしている。
【００１０】
また、この実施形態は、例えば、図２に示すはがき等のカードＣを用いて、情報を通信するシステムで、カードＣには、そのカードＩＤと、上記センターサーバーＳにアクセスするためのセンターサーバー用ＵＲＬとがあらかじめ可視的に表示されている。また、これらカードＩＤとセンターサーバー用ＵＲＬとは、二次元バーコード３としても表示され、それらを光学的にも読み取り可能にしている。ただし、上記カードＩＤおよびセンターサーバー用ＵＲＬは、カードに設けたＩＣチップに記憶させるようにしてもよい。
【００１１】
なお、上記通信端末１，２は、二次元バーコード３を光学的に読み取る機能を持ったものと、その機能を持っていないものとの両方を含むものである。そして、上記二次元バーコード３を光学的に読み取ることができる通信端末は、上記バーコード３を光学的に読み取ることによって、センターサーバーＳに自動的にアクセスできる。光学的に読み取る機能を持っていない通信端末の場合には、人がセンターサーバー用ＵＲＬを入力してセンターサーバーＳにアクセスすることになる。
【００１２】
また、上記ＷｅｂサーバーＷは、所定のプログラム、例えば音楽配信プログラム、あるいは映像配信プログラムなどがあらかじめ記憶されているもので、センターサーバーＳを介して第１の通信端末１あるいは第２の通信端末２からプログラムの実行命令を受信したとき、上記プログラムを実行する。このようにしたＷｅｂサーバーＷは、第１の通信端末１を介して、プログラムを実行するための条件をあらかじめ登録しておくことができるとともに、その条件が当該ＷｅｂサーバーＷに入力されたとき、その入力された条件が、あらかじめ登録されていた条件に一致するかどうかを判定する機能と、それら条件が一致したときにのみ、第２の通信端末２を介して、上記したプログラムを実行する機能とを備えている。
【００１３】
次に、はがきをカードＣとし、そのカードＣに基づいて、情報を配信する場合について説明する。例えば、はがきであるカードＣの発行元がセンターサーバーＳを管理する。ただし、センターサーバーＳを第三者が管理するようにしてもよい。上記カードＣの発行元あるいはセンターサーバーＳの管理者は、まず、発行すべきカードＣのすべてにカードＩＤを表示するとともに、センターサーバーＳにアクセスするためのセンターサーバー用ＵＲＬを、当該カードＣに表示する。
【００１４】
このようにしたカードＣを、例えば小売店等に卸す場合には、小売店等に販売したカードＣのカードＩＤをセンターサーバーＳに登録しておく。そして、小売店では、当該カードＣを販売するたびに、その販売したカードＣに係わるカードＩＤを、小売店に備えた通信端末を利用してセンターサーバーＳに登録する。
【００１５】
そして、小売店から上記カードＣを購入した者は、例えば、自らの携帯端末である第１の通信端末１で、カードＣに表示されているセンターサーバー用ＵＲＬを基にして、センターサーバーＳにアクセスする。また、このときには、上記第１の通信端末１で、カードＣに表示されたカードＩＤも同時にセンターサーバーＳに送信する。なお、上記のようにセンターサーバー用ＵＲＬおよびカードＩＤは、第１の通信端末１で光学的に読み取ってもよいし、手入力するようにしてもよい。また、上記センターサーバー用ＵＲＬおよびＩＤが、ＩＣチップに記憶されているときには、第１の通信端末１で、それらセンターサーバー用ＵＲＬおよびＩＤを読み出すようにしてもよい。
【００１６】
いずれにしても、カードＣを購入した者は、そのカードＣに表示されているセンターサーバー用ＵＲＬに基づいてセンターサーバーＳにアクセスするとともに、当該カードＣに対応づけられたカードＩＤをセンターサーバーＳに送信する。センターサーバーＳは、受信したカードＩＤが、販売したカードに対応づけてあらかじめ登録したカードＩＤと一致するかどうかを判定し、それが一致していなければ、以後のサービス提供を阻止する。
【００１７】
センターサーバーＳは、受信したカードＩＤが、あらかじめ登録した上記カードＩＤと一致すると判定したときには、第１の通信端末１に、選択できるプログラムの項目を返信し、第１の通信端末２の所有者に、必要なプログラムの項目を選択させる。このように必要なプログラムが選択された時点で、センターサーバーＳは、上記カードＩＤと、選択されたプログラムを実行するＷｅｂサーバーＷのＵＲＬとを対応づけて記憶するとともに、上記Ｗｅｂサーバー用ＵＲＬに基づいて、上記第１の通信端末１をＷｅｂサーバーＷに自動的にアクセスさせる。
【００１８】
目的のＷｅｂサーバーＷにアクセスした第１の通信端末１の所有者は、ＷｅｂサーバーＷに、プログラムの実行内容と実行条件を登録する。なお、このプログラムの実行条件は、ＷｅｂサーバーＷによって個別に定められているものとする。したがって、第１の通信端末１の所有者は、ＷｅｂサーバーＷの指示に従って、そのプログラムの実行条件を設定することになる。
【００１９】
また、カードＩＤとＷｅｂサーバー用ＵＲＬとを対応づけてセンターサーバーＳに登録する手続は、例えば、カードＣを販売した小売店が、自らの通信端末を利用して代行してもよい。
【００２０】
上記のように当該カードＣのカードＩＤとプログラムを実行するＷｅｂサーバーＷとの対応付けが終了したら、当該カードＣを購入した送り主は、そのカードＣを受取人に送る。このとき、カードＣに送り主からのメッセージを書き込んでおけば、カードＣがまさに通常のはがきとして機能することになる。
【００２１】
カードＣを受け取った受け取り主は、カードＣに表示されたセンターサーバー用ＵＲＬを用いて、自ら所有する第２の通信端末２をセンターサーバーＳにアクセスさせ、上記カードＣに表示されたカードＩＤをセンターサーバーＳに送信する。なお、この場合にも、センターサーバー用ＵＲＬおよびカードＩＤは、第２の通信端末２で光学的に読み取ってもよいし、手入力するようにしてもよい。また、上記センターサーバー用ＵＲＬおよびカードＩＤが、ＩＣチップに記憶されているときには、第２の通信端末２で、それらセンターサーバー用ＵＲＬおよびカードＩＤを読み出すようにしてもよい。
【００２２】
第２の通信端末２とアクセスしたセンターサーバーＳは、カードＩＤがあらかじめ登録されたカードＩＤと一致するかどうかを判定し、それが一致しているときには、当該カードＩＤに対応づけられたＷｅｂサーバー用ＵＲＬに基づいて、第２の通信端末２を目的のＷｅｂサーバーＷにアクセスさせる。このようにして第２の通信端末２とアクセスしたＷｅｂサーバーＷは、カードＩＤが正規のものかどうかを判定するとともに、プログラム実行条件、例えばパスワードの一致等が満足されているかどうかを判定する。なお、このプログラム実行条件は、送り主から受取人へ送られたカードＣに表示しておくなど、何らかの形で、送り主から受取人にあらかじめ通知しておくものである。
【００２３】
なお、ＷｅｂサーバーＷは、第１の通信端末１からアクセスがあったのか、あるいは第２の通信端末２からアクセスがあったのかを判定するが、その判定要素は、当該ＷｅｂサーバーＷに、プログラムの実行内容および実行条件が登録されているか否かで判定されるものである。
【００２４】
ＷｅｂサーバーＷは、上記カードＩＤを正規のもので、しかも、プログラム実行条件を整えていると判定したら、そのプログラムを実行して第２の通信端末２に、情報提供あるいは音楽等のソフトの提供をすることになる。
【００２５】
上記のようにした実施形態によれば、送り主は、カードＣを送るとともに、ＷｅｂサーバーＷを選択してそれらのソフトを受取人に送ることができる。そして、そのソフトの内容は、どのようなものであってもよい。また、センターサーバーＳには、ＷｅｂサーバーＷのプログラムの数分だけ、選択項目があることは当然である。
【００２６】
したがって、上記カードＣをバースデイカードとして、ＷｅｂサーバーＷがボイスレコードサービスソフトを提供する場合には、バースデイカードとともに、送り主の声も受取人に送ることができる。そのほか、ＷｅｂサーバーＷが金銭の決済をするソフトを提供するような場合には、送り主から受取人に送金することもできる。さらには、カードＣをダイレクトメールとして利用すれば、ダイレクトメールを受け取ったものに、宣伝用ソフトを提供したり、あるいは景品等の抽選に参加させたりすることができる。
【図面の簡単な説明】
【００２７】
【図１】この発明のシステムの回路図である。
【図２】カードの平面図である。
【符号の説明】
【００２８】
１      第１の通信端末
２      第２の通信端末
Ｓ      センターサーバー
３      二次元バーコード
Ｃ      カード
Ｗ      Ｗｅｂサーバー
【図１】
2007148898.tif 000003
【図２】
2007148898.tif 000004